(57)【要約】【課題】グラビア印刷において、ドクターの磨耗を均一にし、ドクターの揺動ストローク幅で現われる版かぶりの程度を軽減するドクターの揺動方法及びその装置の提供にある。【解決手段】ドクター１０を版胴２０に押し付けた状態で、該ドクターに連結しているカムにより版胴２０の軸方向に揺動せしめるドクターの揺動装置において、前記ドクター１０の揺動速度は揺動ストローク幅の中心部での速度より揺動ストローク幅の端部での速度が速くなっているドクターの揺動装置で、ドクター１０の揺動を、このドクター１０に連結していて、一定速度で回転するハート形の溝付きカム１６である装置とするものである。【選択図】図１
2004195715.tif 000002
【特許請求の範囲】
【請求項１】
グラビア印刷用のドクターを版胴に押し付けた状態で版胴の軸方向に揺動せしめるドクターの揺動方法において、前記ドクターの揺動速度を、揺動ストローク幅の中心部での速度より、揺動ストローク幅の端部での速度を速くすることを特徴とするドクターの揺動方法。
【請求項２】
グラビア印刷用のドクターを版胴に押し付けた状態で、該ドクターに連結しているカムにより版胴の軸方向に揺動せしめるドクターの揺動装置において、前記ドクターの揺動速度は、揺動ストローク幅の中心部での速度より、揺動ストローク幅の端部での速度が速くなっていることを特徴とするドクターの揺動装置。
【請求項３】
上記ドクターに連結しているカムは、一定速度で回転するハート形の溝付きカムであることを特徴とする請求項２記載のドクターの揺動装置。
【発明の詳細な説明】
【０００１】
【発明の属する技術分野】
本発明は、グラビア方式による印刷において、版上の非画線部のインキを掻きとる目的で使用されるドクターの揺動装置に関するものであり、特に揺動周期の間に揺動速度を変化させることによって版かぶりが減少可能なグラビア印刷用ドクターの揺動方法及び揺動装置に関する。
【０００２】
【従来の技術】
グラビア方式による印刷においては、表面に絵柄に応じてセルと呼ばれる微小な凹部を多数形成した版面を有するシリンダーの表面に液状のインキを供給して凹部以外の表面のインキを掻き落とし、セル中のインキのみを被印刷物に転移するもので、この掻き落としに使用するドクターは刃先を版面に均一に接触させるために印刷中は適切な角度と圧力で版面に押し付けられている。そこでこの印刷中において版の回転に伴ってドクターの刃先は磨耗して非画線部のインキを掻ききれずに画線部以外の版面にインキが残るいわゆる「版かぶり」と呼ばれる現象を引き起こすことがある。
【０００３】
従来、この「版かぶり」現象を防止するために、ドクターを版回転に直角方向即ち版胴の軸方向に周期的に移動させる揺動装置が用いられていて、ドクター磨耗を平均化して版かぶりを軽減する効果が認められている。
【０００４】
上記ドクターの揺動は、例えば図３（ａ）の正面模式図に示すように、ドクター保持具（１２）とそのシャフト（１１）とでなるドクター固定具を版回転方向（Ｐ）と直角方向に周期的に移動させるという方法で行われ、版回転と同じ駆動軸から一定速度で回転する円形カム（１４）を介して行うのが一般的である。また上記ドクター（１０）の刃先（１０ａ）の磨耗は、主に版胴（２０）の版面の凹凸とインキの摩擦係数に影響される。この版面に関して言えば平滑な非画線部（２４）の方が粗い画線部（２２）よりも磨耗は少ない。この結果版面に非画線部（２４）と隣接した画線部（２２）のある個所において、上記版かぶり（３０）は最も顕著に現われる。例えば図３（ａ）に示すように、画線部（２２）が縦ストライプ柄の場合が典型的な例であり、この場合の版かぶり（３０）は柄端からドクター（１０）の揺動ストロークの幅の範囲で現われる。視覚される版かぶり（３０）は、特に隣接した場所にインキのない非画線部（２４）の端部で強調されて見えるものである。
【０００５】
上記問題を解決するための方法として、例えばドクターを版胴にそって揺動させる機構で、回転中心からの距離が異なる複数の頂点と回転中心からの距離が異なる複数の谷を備えた多角形カムを用いてドクター揺動時の折り返し位置を変化させる構成とし、ドクター折り返し時のドクター揺動スピードが極端に遅くなった時にそのドクターが接触する版胴の軸線方向位置を変化させることによってドクターの局所的な磨耗発生を防止する方法が提案されている（例えば、特許文献１参照。）。
【０００６】
【特許文献１】
特開２００２−２２５２１８号公報
【０００７】
【発明が解決しようとする課題】
しかしながら、上記方法では、ドクター揺動時の折り返し位置でのドクターの磨耗はその位置がいくつかに分散されるためにその分個々の折り返し点での磨耗は軽減されるが折り返し点での揺動スピードが極端に遅いことには変わりがなく磨耗を均一化することは困難であった。
【０００８】
また、揺動速度が一定の場合には図３（ａ）に示す画線部（２２）にドクター（１０）の刃先（１０ａ）が接触している状態で、その刃先（１０ａ）の磨耗は接触時間に比例して大きくなると考えられ、その結果例えば縦ストライプ柄でなる画線部（２２）の端部から揺動ストロークの幅で現われる版かぶり（３０）は、その柄から離れるにつれて薄くなるはずである。
【０００９】
しかしながら、従来の上記揺動機構は、図３（ａ）に示すように、定速回転駆動から円形カム（１４）を介して揺動を行っているため揺動速度が一定でなくストローク幅の端部で速度が低下する周期で動いている。そのためにドクター刃先（１０ａ）と版面の接触時間で見ると、図４のグラフに示すように、縦軸のストローク幅（Ｗ）の端部での接触時間（横軸）が長くなっている状態であった。このために例えば図３に示す画線部（２２）である縦ストライプ柄の柄端部から揺動ストローク幅で現われる版かぶり（３０）は、この画線部（２２）の柄から離れた部分が濃くなり視覚的な効果も相俟って版かぶり（３０）がくっきりと目立つ状態になっていた。この問題を解決するために本発明者等は１ストロークでの揺動速度を制御する簡便な装置を検討して本発明を完成するに至った。
【００１０】
本発明は、かかる従来技術の問題点を解決するものであり、その課題とするところは、グラビア印刷において、ドクターの磨耗を均一にし、ドクターの揺動ストローク幅で現われる版かぶりの程度を軽減するドクターの揺動方法および揺動装置を提供することにある。
【００１１】
【課題を解決するための手段】
本発明に於いて上記課題を達成するために、まず請求項１の発明では、グラビア印刷用のドクターを版胴に押し付けた状態で版胴の軸方向に揺動せしめるドクターの揺動方法において、前記ドクターの揺動速度を、揺動ストローク幅の中心部での速度より、揺動ストローク幅の端部での速度を速くすることを特徴とするドクターの揺動方法としたものである。
【００１２】
また、請求項２の発明では、グラビア印刷用のドクターを版胴に押し付けた状態で、該ドクターに連結しているカムにより版胴の軸方向に揺動せしめるドクターの揺動装置において、前記ドクターの揺動速度は、揺動ストローク幅の中心部での速度より、揺動ストローク幅の端部での速度が速くなっていることを特徴とするドクターの揺動装置としたものである。
【００１３】
さらにまた、請求項３の発明では、上記ドクターに連結しているカムは、一定速度で回転するハート形の溝付きカムであることを特徴とする請求項２記載のドクターの揺動装置としたものである。
【００１４】
【発明の実施の形態】
本発明は、グラビア印刷に用いるドクターの揺動方法とその装置であって、ドクターの揺動ストローク幅の中心部での揺動速度が端部での速度よりも遅いことを特徴とするものであり、特にこの揺動を簡便に行うためにハート形の溝付きカムを用いたドクターの揺動方法及びその装置である。
【００１５】
以下本発明の実施の形態を図面を用いて詳細に説明する。
図１（ａ）、（ｂ）は、本発明のドクターの揺動装置の一事例を示す正面模式図であり、図２は、本発明のドクターの揺動装置におけるドクターの揺動速度を表すグラフである。また、図３（ａ）、（ｂ）は、従来のドクターの揺動装置の一事例を示す正面模式図であり、図４は、従来のドクターの揺動装置におけるドクターの揺動速度を表すグラフである。
【００１６】
まず、従来のドクターの揺動方法とその装置では、例えば図３（ａ）に示すように、グラビア印刷用の版胴（２０）に対してドクター保持具（１２）に固定されたドクター（１０）が版胴（２０）の版面に接触しておりドクター保持具（１２）は定速で回転する円形カム（１４）に連結したシャフト（１１）により左右方向に揺動する。この揺動速度は揺動ストローク幅の左右端では小さく、揺動ストローク幅の中心部で最大になる。したがって図４に示すように、縦軸に壮途する揺動ストローク幅（Ｗ）の上下端での版胴面への接触時間（横軸）は、揺動ストローク幅（Ｗ）の中心部での接触時間に比べて長くなる。この時、図３（ａ）に示す版胴（２０）面には縦ストライプ柄の画線部（２２）が彫刻されており非画線部（２４）と隣接している状態のパターンを示すもので、この場合のドクター（１０）の磨耗は画線部（２２）で大きく、かつ揺動速度の小さい位置で大きくなるので揺動による版かぶり（３０）の程度は、画線部（２２）の端部から揺動ストローク幅分離れた位置で大きくなり、印刷物ではさらに視覚的効果と相俟って非常に目立つ地汚れとなるものであった。
【００１７】
これに対し本発明のドクターの揺動装置では、例えば図１（ａ）に示すように、ドクター（１０）の揺動速度の制御は、サーボモーター等で電気的な制御も技術的にはもちろん可能であるが、ここでは印刷機の改造が最小限で済む方法としてハート形の溝付きカム（１６）を用いた。これは、ドクター保持具（１２）のシャフト（１１）を左右方向のみに可動な形で固定したもので、図１（ｂ）の拡大図に示すように、このハート形の溝付きカム（１６）は、外周がハート形の溝（１６ａ）を有し、その溝（１６ａ）にはまる突起（図示せず）を付けてカム溝の回転を左右方向の動きに変える。この溝（１６ａ）の１円周は略ハート形に刻設されており、回転軸（１６ｂ）の中心は長径上で、その中心から離れたところにある。この中心からハート形のカム溝（１６ａ）までの距離は長径方向の短い方が最も短くなるように設定されている。また、ハート形の溝付きカム（１６）が定速で回転すると図１（ａ）に示すドクター保持具（１２）は左右に周期的に揺動するがこのときの揺動の速度は、図３に示す円形カム（１４）の場合に比べて左右端部で大きく中心部で小さくなる。この状態を図２のグラフに示した。
【００１８】
この結果、図１（ａ）に示すように、ドクター（１０）の揺動に伴う非画線部（２４）の版かぶり（３０）の程度は、画線部（２２）である絵柄から離れた位置で小さくなり、印刷物ではさらに連続的な階調の視覚的効果と相俟って地汚れが目立たなくなるようになる。
【００１９】
上記ハート形の溝付きカム（１６）の形状は、揺動速度制御の必要に合わせて任意に変更できることは言うまでもない。本発明の趣旨は、ドクター（１０）の揺動ストローク幅の端部位置におけるドクター刃先（１０ａ）の磨耗時間を短縮するために揺動速度を制御することにある。
【００２０】
【実施例】
次に実施例により、本発明を具体的に説明する。
〈実施例１〉
電子彫刻機で幅１００ｍｍの版円周方向に連続した縦ストライプ柄を画線部として彫刻したグラビア版を用い、水性白インキでポリエチレンテレフタレートフィルムに印刷を行った。そのときの版胴の版面は円周６００ｍｍ、面長１１０ｍｍで画線部の彫刻は７０ｌ／ｃｍのベタ（セル開口部の面積率８５％）で行った。ドクターは刃先厚み６０μｍのセラミックコートスチールドクターを用い、ドクターの揺動は、ストローク幅が２０ｍｍのハート形の溝付きカムを用いた。以上の条件で８０００ｍの連続印刷を行い、その印刷物の地汚れを観察した。
【００２１】
〈比較例１〉
揺動ストローク幅が２０ｍｍの円形カムを用いた以外は、実施例１と同様にして連続印刷を行い、その印刷物の地汚れを観察した。
【００２２】
上記実施例１でのハート形の溝付きカムを用いた場合には、印刷物のストライプ柄の柄端の白の地汚れは柄端部がぼやける程度であったが、比較例１での円形カムを用いた場合には、柄端から１０ｍｍの位置でくっきりとしたストライプ状地汚れの境界が視認された。
【００２３】
【発明の効果】
本発明は以上の構成であるから、下記に示す如き効果がある。
即ち、本発明のドクターの揺動方法及びその装置によれば、グラビア印刷用のドクターを版胴に押し付けた状態で、該ドクターに連結しているカムにより版胴の軸方向に揺動せしめるドクターの揺動方法及びその装置において、前記ドクターに連結しているカムを一定速度で回転するハート形の溝付きカムとし、前記ドクターの揺動速度を揺動ストローク幅の中心部での速度より揺動ストローク幅の端部での速度を速くすることによって、ドクターの不均一な磨耗による揺動ストローク幅での版かぶりが減少し、長ロット印刷物でのかぶりによる地汚れが起きにくくするドクターの揺動方法及びその装置を提供できる効果がある。
【００２４】
従って本発明は、グラビア方式による印刷において、版上の非画線部のインキを掻きとる目的で使用されるドクターの揺動方法及びその装置、特に揺動周期の間に揺動速度を変化させることによって版かぶりの減少を可能にするドクターの揺動方法及びその装置として、優れた実用上の効果を発揮する。
【図面の簡単な説明】
【図１】本発明のドクターの揺動装置の一実施の形態を示すもので、
（ａ）は、その正面模式図であり、
（ｂ）は、その一部であるカムの拡大図である。
【図２】本発明のドクターの揺動装置でのドクターの揺動状態の一事例を示すグラフである。
【図３】従来のドクターの揺動装置の一実施の形態を示すもので、
（ａ）は、その正面模式図であり、
（ｂ）は、その一部であるカムの拡大図である。
【図４】従来のドクターの揺動装置でのドクターの揺動状態の一事例を示すグラフである。
【符号の説明】
１０‥‥ドクター
１０ａ‥‥ドクターの刃先
１１‥‥シャフト
１２‥‥ドクター保持具
１４‥‥円形カム
１４ａ‥‥円形カムの回転軸
１６‥‥ハート形の溝付きカム
１６ａ‥‥カム溝
１６ｂ‥‥ハート形の溝付きカムの回転軸
２０‥‥版胴
２２‥‥画線部
２４‥‥非画線部
３０‥‥版かぶり
Ｐ‥‥版胴の回転方向
Ｑ‥‥揺動方向
Ｗ‥‥揺動ストローク幅
【図１】
2004195715.tif 000003
【図２】
2004195715.tif 000004
【図３】
2004195715.tif 000005
【図４】
2004195715.tif 000006